(57)【要約】【課題】  優れた安定性と操作の簡便性を確保可能な背もたれの角度調整装置を提供する。【解決手段】  第一歯車１は、背もたれ６に接続する第一軸部１１を有する。第一軸部１１の第一側面１６には第一歯面１４が設けられ、第一歯面１４の中央に凹状の第一収容部１５が形成されている。第二歯車２は、座部７に接続する第二軸部２１を有する。第二軸部２１の第一歯面１４に対向する第二側面２７には第一歯面１４と噛み合わせ可能な第二歯面２４が設けられ、第二歯面２４の中央に凹状の第二収容部２５が形成されている。弾性体３は、第一収容部１５および第二収容部２５に設けられる。背もたれ６の角度調整装置１０では、第一歯面１４と第二歯面２４とを噛み合わせることにより固定したり、噛み合わせを解除することにより背もたれの角度を調整したりすることができる。【選択図】  図１
2013255553.tif 000002
【特許請求の範囲】
【請求項１】
椅子の背もたれと座部とを接続する位置に設けられる背もたれの角度調整装置であって、
前記背もたれまたは前記座部のいずれか一方に接続し、第一軸孔を形成する第一軸部を有し、第一側面に第一歯面を形成する第一歯車と、
前記背もたれまたは前記座部のいずれか他方に接続し、第二軸孔を形成する第二軸部を有し、前記第一歯面に対向する第二側面に前記第一歯面と噛み合わせ可能な第二歯面、および位置固定部を形成する第二歯車と、
前記第一歯車と前記第二歯車との間に設けられ、前記第一歯車および前記第二歯車に付勢力を与える弾性体と、
第三軸部を形成するハンドルベースを有し、第三軸孔を形成する前記第三軸部はハンドルに接続し、前記第二歯車の前記位置固定部に対応する側に前記位置固定部とは異なる角度に固定可能な作動部を設けるハンドル部と、
前記ハンドルベースの前記第三軸孔、前記第一歯車の前記第一軸孔、および前記第二歯車の前記第二軸孔に挿通され、前記ハンドルベース、前記第一歯車、および前記第二歯車を組み合わせるシャフトと、
を含み、
前記ハンドルを操作して、前記作動部を前記位置固定部の動作に対応させ、前記第一歯車の前記第一歯面および前記第二歯車の前記第二歯面が噛み合わされることにより前記背もたれの角度を固定、または噛み合わせを解除することにより前記背もたれの角度を調整することを特徴とする背もたれの角度調整装置。
【請求項２】
前記第二歯車の前記位置固定部は、前記第二歯面が形成される前記第二側面とは反対側の第三側面に設けられ、異なる角度に異なる高さの第一位置固定溝および第二位置固定溝を形成し、
前記ハンドル部の前記作動部には、前記第一位置固定溝または前記第二位置固定溝に嵌入可能な位置固定体を設けられることを特徴とする請求項１に記載の背もたれの角度調整装置。
【請求項３】
前記第一位置固定溝が突出する高さは、前記第二位置固定溝よりも高く、
前記第一位置固定溝および前記第二位置固定溝にはそれぞれ第一当接辺および第二当接辺が形成され、前記第一位置固定溝と第二位置固定溝との間にガイド斜面を形成することを特徴とする請求項２に記載の背もたれの角度調整装置。
【請求項４】
前記第二歯車の前記位置固定部は、前記第二歯面が形成される前記第二側面とは反対側の前記第三側面から突出し、
前記ハンドルベースの前記作動部には、前記位置固定部を嵌合可能な嵌合溝を形成され、前記位置固定体を前記嵌合溝内に設けることを特徴とする請求項３に記載の背もたれの角度調整装置。
【請求項５】
前記第一歯車の前記第一歯面が形成される前記第一側面の中央位置に凹状の第一収容部を形成し、前記第二歯車の前記第二歯面が形成される前記第二側面の中央位置に凹状の第二収容部を形成し、前記弾性体は、前記第一収容部および前記第二収容部に設けられることを特徴とする請求項１から４のいずれか一項に記載の背もたれの角度調整装置。
【請求項６】
前記第一歯車は、前記第一軸部の外縁に前記背もたれまたは前記座部の底端に接続する第一接合柱を形成し、前記第二歯車は、前記第二軸部の外縁に前記座部の後端に接続する第二接合柱を形成し、前記ハンドル部の前記ハンドルベースは、前記第三軸部の外縁に前記ハンドルに接続する第三接合柱を形成することを特徴とする請求項５に記載の背もたれの角度調整装置。
【請求項７】
前記椅子は、ベースを有し、
前記ベースは、前記ベースの上方の前記背もたれの一側に回転可能に設けられる肘掛部、および前記椅子の第四側面に形成される嵌合孔に嵌合する嵌合部を有するガイドロッドを含み、
前記背もたれの下方に前記第一歯車の前記第一接合柱に嵌合する第一嵌め孔を有し、前記座部の後端に前記第二歯車の前記第二接合柱に嵌合する第二嵌め孔を有することを特徴とする請求項６に記載の背もたれの角度調整装置。
【発明の詳細な説明】
【技術分野】
【０００１】
本発明は、背もたれの角度調整装置に関し、特に、簡単な操作で背もたれの角度調整および位置を固定し、安定性に優れた背もたれの角度調整装置に関する。
【背景技術】
【０００２】
従来の背もたれは、人間が座ってよりかかったとき背部が快適になるように、椅子の角度が調整できるように構成されている。また、椅子の下方にシャーシ機構が設けられ、且つ背もたれの底端がシャーシ機構と接続し、シャーシ機構により背もたれの角度が調整可能なように構成されている。しかしながら、この構成では、高価なシャーシ機構を取り付ける必要があり、コストが高くなる。また、このシャーシ機構はソファーやレジャー用チェアなどの大型椅子には適用しにくいという問題がある。
【０００３】
特許文献１に記載の背もたれの角度を調整可能な装置を図１０に基づいて説明すると、ベース１’上にガイドロッド２’を固定し、座部３’に位置固定装置４’を設けている。位置固定装置４’にはガイドロッド２’が挿通されており、位置固定装置４’の動きを規制することが可能である。また、背もたれ５’の下方は、座部３’の後方に回転可能に支持されている。位置固定装置４’によるガイドロッド２’の規制が解除されると、背もたれ５’によりかかったときのもたれかかりにより背もたれ５’が仰向けになるとともに、座部３’が前方へ移動する。また、位置固定装置４’によりガイドロッド２’を規制すると、背もたれ５’の仰向け角度を固定できる。この構造により背もたれ５’が仰向けのとき、座部３’が対応して前方へ移動し、更に優れた背もたれの快適性が得られる。
【先行技術文献】
【特許文献】
【０００４】
【特許文献１】米国特許第７７３５９２５号明細書
【発明の概要】
【発明が解決しようとする課題】
【０００５】
しかしながら、特許文献１に記載の装置では、位置固定装置４’がガイドロッド２’の動きを規制する方法により背もたれ５’を固定するので、背もたれ５’に大きな力が作用する場合、スライドする可能性があり、依然改良の余地があった。
【０００６】
本発明の目的は、優れた安定性と操作の簡便性を確保可能な背もたれの角度調整装置を提供することにある。
【課題を解決するための手段】
【０００７】
本発明に係る背もたれの角度調整装置は、背もたれと座部との接続位置に設けられ、第一歯車と、第二歯車と、弾性体と、ハンドル部と、シャフトと、を含む。第一歯車は、背もたれまたは座部のいずれか一方に接続し、中心に第一軸孔が形成されている第一軸部を有し、第一側面の第一歯面が形成されている。第二歯車は、背もたれまたは座部のいずれ他方に接続し、中心に第二軸孔が形成される第二軸部を有し、第一歯面に対向する第二側面に第二歯面が形成されている。また、第二歯面が形成される第二側面とは反対側の第三側面には凸状の位置固定部が形成される。位置固定部には、第一位置固定溝、第二位置固定溝、およびガイド斜辺が設けられる。弾性体は、第一歯車と第二歯車との間に設けられ、第一歯車および第二歯車に付勢力を与える。ハンドル部は、ハンドルベースを有する。ハンドルベースは第三軸部を有し、第三軸部の外縁に設けられる第三接合柱はハンドルと接続する。第三軸部の中心には第三軸孔が形成され、第二歯車の位置固定部側に位置固定部とは異なる角度で固定される作動部が設けられる。作動部には第一位置固定溝または第二位置固定溝を嵌入可能な位置固定体が設けられる。シャフトは、ハンドルベースの第三軸孔、第一歯車の第一軸孔、および第二歯車の第二軸孔に挿通され、ハンドルベース、第一歯車、および第二歯車を回転可能に接続する。
【０００８】
本発明は、ハンドルを操作することにより第一歯車の第一歯面と第二歯車の第二歯面とが噛み合わせることで固定、または第一歯車の第一歯面と第二歯車の第二歯面とが噛み合わされていない調整可能な状態から第一歯車の第一歯面と第二歯車の第二歯面とが相互に噛み合わせることにより、弾性体が圧縮して背もたれ角度を固定する。また、ハンドルベースを作動させることにより位置固定体の移動が可能であり、第一歯車および第二歯車を弾性体により支持拡張させ、第一歯面および第二歯面を噛み合わされる状態から解除し、背もたれを座部に対応する角度に調整可能である。本発明は、簡便な操作により背もたれの角度を調整し希望の位置に背もたれを固定するので、従来の装置と比較して更に優れた安定性を有する。
【図面の簡単な説明】
【０００９】
【図１】本発明の一実施形態による背もたれの角度調整装置の分解図である。
【図２】本発明の一実施形態による背もたれの角度調整装置の第二歯車、およびハンドルベースを別の角度から見た分解図である。
【図３】本発明の一実施形態による背もたれの角度調整装置の斜視図である。
【図４】本発明の一実施形態による背もたれの角度調整装置における背もたれを固定した状態の模式図である。
【図５】本発明の一実施形態による背もたれの角度調整装置の部分拡大断面図である。
【図６】本発明の一実施形態による背もたれの角度調整装置の部分拡大断面図である。
【図７】本発明の一実施形態による背もたれの角度調整装置における背もたれの固定を解除した状態の図である。
【図８】本発明の一実施形態による背もたれの角度調整装置の部分拡大断面図である。
【図９】本発明の一実施形態による背もたれの角度調整装置の部分拡大断面図である。
【図１０】従来の背もたれの角度調整装置の構造を示す模式図である。
【発明を実施するための形態】
【００１０】
(一実施形態)
図１〜５を参照すると、本発明の一実施形態による背もたれの角度調整装置１０は、背もたれ６と座部７との接続位置に設けられる。図４、５に示すように、椅子のベース８上方の背もたれ６の一側には、肘掛部８１が回転可能に設けられる。座部７の側面には嵌合部７２が設けられ、ベース８のガイドロッド８２と嵌合する。背もたれの角度調整装置１０は、第一歯車１、第二歯車２、弾性体３、ハンドル部４、およびシャフト５を含む。
【００１１】
第一歯車１は、第一軸部１１を有し、第一軸部１１の外縁に第一接合柱１２が設けられる。図４、５に示すように、背もたれ６の下方に第一嵌め孔６１が形成され、第一嵌め孔６１は第一接合柱１２と嵌合する。また、第一軸部１１の中心に第一軸孔１３を有し、第一側面１６に第一歯面１４を設け、第一歯面１４が形成される第一側面１６の中央に凹状の第一収容部１５が形成されている。
【００１２】
第二歯車２は、第二軸部２１を有し、第二軸部２１の外縁に座部７の後端に接続する第二接合柱２２が設けられる。座部７の後端には第二嵌め孔７１が形成され、第二嵌め孔７１は第二接合柱２２と嵌合する。第二軸部２１の中心には第二軸孔２３が形成され、第一歯面１４に対向する第二側面２７の位置に第一歯面１４と噛み合わせ可能な第二歯面２４が設けられている。第二歯面２４が形成される第二側面２７の中央には凹状の第二収容部２５が形成されている。また、第二側面２７とは反対側の第三側面２８から側方へ突出する位置固定部２６が設けられている。位置固定部２６は、一固定部２６の中心から系外方向をみて異なる角度に異なる高さの第一位置固定溝２６１、および第二位置固定溝２６２を設けられ、第一位置固定溝２６１の突起高さは第二位置固定溝２６２より高い。第一位置固定溝２６１および第二位置固定溝２６２には、それぞれ第一当接辺２６３および第二当接辺２６４が設けられる。また、第一位置固定溝２６１と第二位置固定溝２６２との間にガイド斜面２６５が形成される。
【００１３】
弾性体３は、第一歯車１と第二歯車２との間の第一収容部１５および第二収容部２５の位置に設けられ、第一歯車１および第二歯車２に付勢力を提供する。
【００１４】
ハンドル部４は、ハンドルベース４１を有する。ハンドルベース４１は、第三軸部４１１を有し、第三軸部４１１の外縁には第三接合柱４１２が設けられる。第三接合柱４１２はハンドル４２と接続する。第三軸部４１１の中心には第三軸孔４１３が形成され、第二歯車２の位置固定部２６に対応する側の位置に作動部４１４が形成される。作動部４１４は、位置固定部２６が嵌合可能な嵌合溝４１５を形成し、組立ての全体的な質感を向上させる。第一位置固定溝２６１、または第二位置固定溝２６２に対応する嵌合溝４１５の内壁には第一位置固定溝２６１または第二位置固定溝２６２を嵌入可能な位置固定体４１６を設ける。
【００１５】
シャフト５は、ハンドルベース４１の第三軸孔４１３、第一歯車１の第一軸孔１３、および第二歯車２の第二軸孔２３に挿通され、一端をボルト５１により固定して接続する。
【００１６】
本実施形態の背もたれの角度調整装置１０は、ハンドル４２を操作し、第一歯車１の第一歯面１４と第二歯車２の第二歯面２４とを噛み合わせることにより固定、または噛み合わせを解除して位置を調整することができる。図４、図５および図６に示すように、ハンドルベース４１の位置固定体４１６が第一位置固定溝２６１に位置するとき、位置固定体４１６が第一当接辺２６３に当接し、第一歯車１の第一歯面１４と第二歯車２の第二歯面２４とが相互に噛み合わせるとともに弾性体３を圧縮し背もたれ６の角度を固定する。
【００１７】
図７、図８および図９に示すように、背もたれ６の角度を調整するとき、ハンドル４２を用いてハンドルベース４１の第三軸部４１１に対応する第二歯車２の位置固定部２６を回転させ、位置固定体４１６を第二位置固定溝２６２の位置まで移動させる。これにより、位置固定体４１６は第二当接辺２６４に当接する。ガイド斜面２６５により位置固定体４１６の移動はスムーズにできる。第一歯車１、および第二歯車２の間隔が弾性体３により広げられ、第一歯面１４と第二歯面２４との噛み合わせが解除される。これにより、背もたれ６の座部７に対応する角度を調整でき、また角度の調整後、ハンドル４２を再度操作して、ハンドルベース４１を逆方向に回転し、位置固定体４１６を図５に示すように第一位置固定溝２６１に位置させることにより、第一歯車１の第一歯面１４と第二歯車２の第二歯面２４とを噛み合わせて調整後の角度において位置固定することができる。このように、本発明は操作が簡便である。
【産業上の利用可能性】
【００１８】
本発明は噛み合わせにより角度を位置固定するので、従来の角度調整および固定装置と比較してより安定性に優れている。また、第一歯車および第二歯車は、回転可能に設けられるか、またはその他の装置により、背もたれと座部とをそれぞれ接続し、第一歯車および第二歯車もそれぞれ座部、背もたれと接続する。本発明が求める効果は、本実施形態の接合柱による嵌合形態とは限らない。
【００１９】
以上により、本発明は、位置固定の安定性、操作の簡便性などの効果を有する。前述の実施形態は本発明の例示であり、本発明を制限するものではない。本発明の本質による等価の改変もまた本発明の範囲内である。
【符号の説明】
【００２０】
１      ・・・第一歯車、
１１    ・・・第一軸部、
１２    ・・・第一接合柱、
１３    ・・・第一軸孔、
１４    ・・・第一歯面、
１５    ・・・第一収容部、
２      ・・・第二歯車、
２１    ・・・第二軸部、
２２    ・・・第二接合柱、
２３    ・・・第二軸孔、
２４    ・・・第二歯面、
２５    ・・・第二収容部、
２６    ・・・位置固定部、
２６１  ・・・第一位置固定溝、
２６２  ・・・第二位置固定溝、
２６３  ・・・第一当接辺、
２６４  ・・・第二当接辺、
２６５  ・・・ガイド斜辺、
３      ・・・弾性体、
４      ・・・ハンドル部、
４１    ・・・ハンドルベース、
４１１  ・・・第三軸部、
４１２  ・・・第三接合柱、
４１３  ・・・第三軸孔、
４１４  ・・・作動部、
４１５  ・・・嵌合溝、
４１６  ・・・位置固定体、
４２    ・・・ハンドル、
５      ・・・シャフト、
５１    ・・・ボルト、
６      ・・・背もたれ、
６１    ・・・第一嵌め孔、
７      ・・・座部、
７１    ・・・第二嵌め孔、
７２    ・・・套合部、
８      ・・・ベース、
８１    ・・・扶手部、
８２    ・・・ガイドロッド、
１’    ・・・底座、
２’    ・・・ガイドロッド、
３’    ・・・座部、
４’    ・・・位置固定装置、
５’    ・・・背もたれ。
【図１】
2013255553.tif 000003
【図２】
2013255553.tif 000004
【図３】
2013255553.tif 000005
【図４】
2013255553.tif 000006
【図５】
2013255553.tif 000007
【図６】
2013255553.tif 000008
【図７】
2013255553.tif 000009
【図８】
2013255553.tif 000010
【図９】
2013255553.tif 000011
【図１０】
2013255553.tif 000012